Podtech/llm-jp-corpus-v4-ja_patent huggingface dataset:
(57)【要約】      （修正有）【課題】帯を固定したステープルを隠して、きれいな仕上りが実現する帯編み椅子を提供する。【解決手段】まず背フレーム１の帯取り付け位置に設けた長孔３の中に背荷重を受ける帯２をステープル５にて固定、ステープル処理部を隠すようにパイピング４を長孔３に押し込み、接着処理することで、帯取り付け部の仕上げを良くする。【選択図】図３
0003220847.tif 000002
【実用新案登録請求の範囲】
【請求項１】
背面が帯編み方式の椅子において、帯端部が長孔の中でステープルにて固定され、ステープルの固定を隠すようにパイピングを長孔に入れて仕上げられた、帯の取り付け仕上げを特徴とした帯編み椅子。
【考案の詳細な説明】
【技術分野】
【０００１】  本案件は帯編み椅子の帯端部取り付け仕上げ処理方法に関する。
【背景技術】
【０００２】  帯編み椅子の背部において、帯編みは帯を縦横に交互に編み、背フレームの上下、及び左右に取り付けることで構成される。
背フレームへの取り付けは、タルミが発生しないように、あらかじめ片方をステープルで固定しておき、もう片方を引張りながら、ステープルにより固定することで、帯編みが着座時の背荷重に耐えられる構造となる。
【考案の概要】
【考案が解決しようとする課題】
【０００３】  しかしながら、帯の取り付けに使用するステープルの見栄えが良くないため、そのままだと製品としての完成度を低くしてしまう。着座時の背荷重が帯と取り付け部にかかるため、ステープル固定はどうしても必要である。課題は帯に引張り力をかけながら固定することができ、取り付け部が綺麗に仕上げられる処理方法である。
【課題を解決するための手段】
【０００４】  本考案は、背フレームの帯取り付け位置に長孔を設け、帯の両端を孔底にステープル固定する。その後、あらかじめ縫製したパイピングを長孔の長辺サイズに切る。長孔の底に接着剤を塗布し、パイピングを押し込み接着することにより、帯を固定したステープルを隠して、きれいな仕上りが実現することを特徴とする。
【考案の効果】
【０００５】  本考案に係る帯編み椅子の帯取り付け処理は、既存の縫製及び張仕上げ技術を利用し容易に製造する事ができる。完成度の高い製品を実現するには、目立ちやすい椅子の背後面の仕上げが重要であり、非常に有効である。
【図面の簡単な説明】
【０００６】
【図１】  本考案に係る帯編み椅子の見取図である。
【図２】  本考案に係る帯編み椅子の帯取り付け方法を示す手順図である。
【図３】  本考案に係る帯編み椅子の帯端取り付け仕上げ部の詳細断面図である。
【考案を実施するための形態】
【０００７】  図１は帯編み椅子を背後面から描いた図である。２帯は着座時の背荷重を受け止めるために、図２の手順で縦横を交互に編み、端部は１背フレームに巻き付ける形で取り付ける。固定は縦帯、横帯ともそれぞれの巻きつけた１背フレームの３長孔の底角を狙い５ステープルにて処理する。その後あらかじめ準備した４パイピングを押し込み、図３に示す位置に６接着剤にて固定する。よって帯固定に使用した５ステープルは外観上見えなくなり、仕上り完成度の高いものとなる。
【符号の説明】
【０００８】１背フレーム
２帯
３長孔
４パイピング
５ステープル
６接着剤
【図１】
0003220847.tif 000003
【図２】
0003220847.tif 000004
【図３】
0003220847.tif 000005
【手続補正書】
【提出日】平成31年1月23日(2019.1.23)
【手続補正１】
【補正対象書類名】実用新案登録請求の範囲
【補正対象項目名】全文
【補正方法】変更
【補正の内容】
【実用新案登録請求の範囲】
【請求項１】
背面が帯編み方式の椅子において、帯端部が背フレームに設けられた長孔の中でステープルにて固定され、ステープルの固定を隠すようにパイピングを長孔に入れて仕上げられた、帯の取り付け仕上げを特徴とした帯編み椅子。
(57)【要約】      （修正有）【課題】柔らかで広範囲な風を送ることができるうちわを提供する。【解決手段】扇部１と柄３とからなり、うちわの柄３に近い扇部１下方から扇部１略中央付近まで大きな空間を生じるように地紙４を貼る。扇部１略中央付近から柄３に掛けての空気抵抗を減らすことができ、それにより扇ぎ始めにはほとんど扇ぐ力を必要としないで最初に扇部１略中央部分が屈曲を開始する。したがって扇ぐ動作は一般と同じようにしても結果柔らかで広範囲な風を得ることができる。【選択図】図２
0003220844.tif 000002
【実用新案登録請求の範囲】
【請求項１】
扇部と柄とからなり、扇いだ際に該扇部略中央近辺がその他の扇部部分と比較し屈曲しやすい構造としたことを特徴とするうちわ。
【考案の詳細な説明】
【技術分野】
【０００１】本考案は古来より存在するうちわに関する。
【背景技術】
【０００２】古来、暑いときなどに涼を求めるとき、あるいは強い日差しにかざしてまぶしさを軽減させるとき、さらに虫などを払うときに使用するうちわは、基本的に竹を薄く細く扁平に加工した骨を扇状に広げてその骨に和紙などの紙を貼り付けて成したもの、さらに近代ではこの骨をプラスティックで製造し、そこに紙を貼り付けたものなどが知られている。
【先行技術文献】
【特許文献】
【０００３】
【特許文献１】特開２００３−０７０５１５号公報
【特許文献２】特開２００４−９６５６１３号公報
【特許文献３】特開２００７−１４４０３８号公報
【特許文献４】特開２００９−０３９５３１号公報
【考案の概要】
【考案が解決しようとする課題】
【０００４】  多くの方々が涼を求めるため、あるいは虫などを払うため、うちわの柄を保持して、その保持した手で手首も利用して扇ぐのであるが、従来のうちわはその柄の延長端面をうちわ先端と仮定するならば、扇いだ際はそのうちわ先端から柄にかけて貼られた地紙によって空気抵抗を受けてしなりが生ずる。このしなりは力学的には先端に行くほど大きくなる。それゆえ、このしなりによって加速された風が生ずるのである。しかしながらこのしなりを生じさせるには、うちわを扇ぐ力がそれなりに必要となり、さらに送られる風の範囲は狭い。
【課題を解決するための手段】
【０００５】本考案においては、うちわの地紙を扇部略中央付近から扇部下方にかけてその中間部分を空けるように貼り、空間を設ける。  また別には扇部略中央下部付近の地紙部分に複数の穴を形成するようにする。
【考案の効果】
【０００６】扇ぎ始め、つまり扇ぐ動作の最初の段階で、まずは扇部に設けた空間を空気が通り抜け、その上部周囲の地紙にその通り抜けた空気の速度と比例する圧力が一気にかかる。するとその圧力に屈して扇部の空間に近い端部付近、つまり扇部略中央付近が大きく屈曲し、その後扇ぎ終わりに近い段階でその屈曲をを元に戻そうとするしなり反発力がかかり風が生じる。その後うちわを逆方向に扇ぐと扇ぐ方向とは反対側にうちわ略中央部が屈曲し扇ぎ終わりに近い段階でその屈曲が元に戻ることとなり風が生じる。この最初の略中央部のしなりは非常に軽い力で発生するので扇ぐ力は通常のうちわと違い非常に弱い力で作用できる。扇ぎ始めの最初からそこそこ強い力で扇ぐ通常のうちわと異なり、いったん軽い力で扇ぎ始めた後にうちわ全体のしなりを発生させるので一連の力の掛かり方は無理なくスムーズに運ばれ、しかも送る風の範囲は通常のうちわより広範囲となる。
【図面の簡単な説明】
【０００７】
【図１】一般に知られたうちわを示す（Ａ）
【図２】本考案の第一実施例（ａ）と、第二実施例（ｂ）を示す
【図３】本考案によるうちわの作動状態を示し、一般のうちわ（Ａ）と本考案のうちわ（Ｂ）の扇ぎ始めの屈曲状態の比較を示しており、扇ぐ往復動作におけるその屈曲範囲を示したものである。
【考案を実施するための形態】
【０００８】本考案においては、うちわの地紙を扇部略中央付近から扇部下方にかけてその中間部分を空けるように貼り、空間を設ける。また別には扇部略中央下部付近の地紙部分に複数の穴を形成するようにする。
【実施例】
【０００９】図２  ［Ｂ］（ａ）のうちわは、柄３に近い部分から扇部１の略中央付近まで空間を生じるようにうちわ先端にかけて地紙４を貼ったもので、扇部１略中央付近から柄３の部分にかけては骨２を露出させて円形に空間が生じている。このうちわの柄３を持って扇ぎ始めると柄３から空間の生じている扇部１略中央付近までは空気が通り抜けるためにしならず、最初のしなりは扇部１略中央付近に発生し、扇部１は屈曲部位５の地点でくの字に屈曲する（図３  ［Ｂ］）。そのまま扇ぎ続けるとその屈曲は維持され、扇ぐ力を弱めると扇部１は当初の平面に戻ろうとし、そこで風が発生する。この動作反復を繰り返していけば、軽い力でしかもやわらかい風を広範囲に送ることができる。なお、地紙４は扇部中央付近が円形に空間を形成するように貼られているが、扇部１を上下に略半分割したその上部分に半円状に貼っても良い。（図示せず）【００１０】図２  ［Ｂ］（ｂ）のうちわは、扇部１略中央付近からわずかに柄３寄りに、その地紙４に複数の孔６を開けたもので、このうちわの柄３を持って扇ぎ始めると、柄３から扇部中央付近まではこの複数の孔６を空気が通り抜けるためにしならず、最初のしなりはその孔６のわずか上部の扇部１略中央付近の屈曲部位５の地点で発生し（図３  ［Ｂ］参照）扇部１はその地点でくの字に屈曲する。そのまま扇ぎ続けるとその屈曲は維持され、扇ぐ力を弱めると扇部１は当初の平面に戻ろうとし、そこで風が発生する（図３  ［Ｂ］）。この動作反復を繰り返していけば、軽い力でしかもやわらかい風を広範囲に送ることができる。尚、図示はしていないが扇部１の地紙４に描かれた図案によっては、その図案にあわせたような孔６を設ければうちわ全体のイメージが芸術的な雰囲気を醸し出し、扇ぐ喜びも得られる効果もある。
【符号の説明】
【００１１】１  扇部
２  骨
３  柄
４  地紙
５  屈曲部位
６  孔
Ａ  一般のうちわ
Ｂ  本考案のうちわ
【図１】
0003220844.tif 000003
【図２】
0003220844.tif 000004
【図３】
0003220844.tif 000005
【手続補正書】
【提出日】平成31年1月23日(2019.1.23)
【手続補正１】
【補正対象書類名】実用新案登録請求の範囲
【補正対象項目名】全文
【補正方法】変更
【補正の内容】
【実用新案登録請求の範囲】
【請求項１】
扇部と柄とからなり、地紙を扇部略中央付近から扇部下方にかけて大きな空間を生じるように貼ったことを特徴とするうちわ。
(57)【要約】      （修正有）【課題】運搬台車や介護機器等の移動器具において、キャスターの車輪径を大きくすることなく、簡単な構造で容易に段差を乗り越えることを可能とする段差対応キャスターを提供する。【解決手段】キャスターのフォーク６に、左右一対のアシスト板５を、支持軸２及び連結ボルト８で回転可能に連結する。アシスト板の支持軸を前方に押すことで段差にアシスト板底部９が接すると接地部を支点としアシスト板を起こす様に回動し、車輪１０の負荷荷重が段差側に移る。同時に、アシスト板はトーションバネ４でストッパー３に戻され初期位置を保つ。これにより段差の乗り越えが容易となる。【選択図】図１
0003220842.tif 000002
【実用新案登録請求の範囲】
【請求項１】
キャスターのフォークに左右一対のアシスト板を備え支持軸及び連結ボルトで連結される。アシスト板の支持軸を前方に押すことで段差にアシスト板底部が接すると接地部を支点としアシスト板を起こす様に回動し段差の乗り越えを容易に出来ることを特徴とする段差対応キャスター。
【請求項２】
アシスト板の支持軸を前方に押すことでアシスト板を起こす様に回動し車輪の負荷荷重が段差側に移ると同時にアシスト板はトーションバネでストッパーに戻され初期位置を保つことを特徴とする請求項１に記載の段差対応キャスター。
【考案の詳細な説明】
【技術分野】
【０００１】  本考案は、運搬台車や介護機器等の移動器具に取付ける段差対応キャスターに関するものである。
【背景技術】
【０００２】  従来、段差を通過するにはキャスターを持ち上げる必要があり荷物等が転倒するなどの恐れがあった。そこで、下記特許文献に記載されている様に段差乗り越え用の半円アームを前輪の両側と支持金具の内側に装着し半円アームが段差と接触することで半円アームは回動し天板を持ち上げ段差を乗り越える構造となっている。【０００３】  しかしながら、上記の考案は半円アームを前輪の両側と支持金具の内側に装着するため主軸を避ける形状とすることが必要である。又、次の段差に備えるため半円アームをバネにより定位置に保持することが望ましい。
【先行技術文献】
【特許文献１】１９９８−２９７２０６号
【考案の概要】
【考案が解決しようとする課題】
【０００４】  本考案は、運搬台車・介護機器等の移動器具を前方に押す力を利用し段差及び障害物等の乗り越えを容易に出来ることを課題とした。【０００５】  本考案の目的は、運搬台車や介護機器等の移動器具における同一車輪径のキャスターと比べアシスト板の支持軸を前方に押すことで段差にアシスト板底部が接すると接地部を支点としアシスト板を起こす様に回動することで段差や障害物を容易に乗り越えることが出来る段差対応キャスターの提供。
【課題を解決するための手段】
【０００６】  上記の目的を達成するために本考案は、以下の形態からなる。【０００７】  キャスターのフォークに左右一対のアシスト板を備え支持軸及び連結ボルトで連結される。アシスト板の支持軸を前方に押すことで段差にアシスト板底部が接すると接地部を支点としアシスト板を起こす様に回動する構造であり、アシスト板底部は緩衝材や滑り防止形状にすることでより円滑に段差を乗り越えると共に段差側を保護できる。【０００８】  支持軸を前方に押すことでアシスト板が回動し車輪の負荷荷重が段差側に移ると同時にアシスト板はトーションバネでストッパーに戻され初期位置を保つ。
【考案の効果】
【０００９】  本考案によれば、運搬台車や介護機器等の移動器具における同一車輪径のキャスターと比べ段差や障害物を容易に乗り越えることが出来る段差対応キャスターの提供。
【図面の簡単な説明】
【００１０】
【図１】  本考案の段差対応キャスターの名称及び正面・側面姿図である。
【図２】  本考案の段差対応キャスターと段差の図（段差を乗り越える前の状態）
【図３】  本考案の段差対応キャスターと段差の図（車輪が浮き上がった状態）
【図４】  本考案の段差対応キャスターと段差の図（車輪が段差を乗り越えた状態）
【図５】  本考案の段差対応キャスターと段差の図（車輪が段差を下りた状態）
【考案を実施するための形態】
【００１１】  以下本発明の実施の形態を図に基づいて説明する。
【実施例１】
【００１２】  図１は、本考案機構の名称及び正面・側面姿図であってキャスターのフォーク（６）に左右一対のアシスト板（５）を備え支持軸（２）及び連結ボルト（８）で連結される構造であり段差にアシスト板底部（９）が接すると接地部を支点としアシスト板の支持軸（２）が前方に移動することによりアシスト板（５）を起こす様に回動し車輪（１０）荷重が段差側に移ると同時にアシスト板（５）はトーションバネ（４）でストッパー（３）に戻され初期位置を保つ。【００１３】  図２は、段差対応キャスターが段差を乗り越える前の状態を示しておりアシスト板（５）は初期位置でありアシスト板底部（９）は段差に接触した状態である。【００１４】  図３は、段差対応キャスターが段差を乗り越える状態を示しておりアシスト板底部（９）は段差に接触しアシスト板の支持軸（２）が前方に移動することによりアシスト板（５）を起こす様に回動し車輪（１０）が浮き上がった状態である。【００１５】  図４は、段差対応キャスターが段差を乗り越えた状態を示す。【００１６】  図５は、段差対応キャスターが段差上から降りた状態を示す。
【産業上の利用可能性】
【００１７】  本考案の段差対応キャスターは、簡単な構造で容易に段差乗り越えが可能であるため配送業務における段差乗り越え時の省力化及び衝撃吸収による静粛性を必要とする物流・工場・医療施設等における汎用性の高いキャスター。
【符号の説明】
【００１８】  １  トッププレート
２  支持軸
３  ストッパー
４  トーションバネ
５  アシスト板
６  フォーク
７  車軸
８  連結ボルト
９  アシスト板底部
１０  車輪
【図１】
0003220842.tif 000003
【図２】
0003220842.tif 000004
【図３】
0003220842.tif 000005
【図４】
0003220842.tif 000006
【図５】
0003220842.tif 000007
【手続補正書】
【提出日】平成31年1月23日(2019.1.23)
【手続補正１】
【補正対象書類名】実用新案登録請求の範囲
【補正対象項目名】全文
【補正方法】変更
【補正の内容】
【実用新案登録請求の範囲】
【請求項１】
キャスターフォーク上部に回転可能な支持軸を有し支持軸両端は左右一対のアシスト板と連結した構造であり、段差を乗り越えるさい段差とアシスト板底部とが接する接地部を支点として回動し車輪の負荷荷重を段差側に移し段差の乗り越えを容易に出来ることを特徴とする段差対応キャスター。
【請求項２】
トーションバネのコイル内側に回転可能な支持軸が挿入されコイル端末はキャスターフォークとアシスト板に取り付け、アシスト板はトーションバネの応力によりフォークに取り付けたストッパーで初期位置を保つことを特徴とする請求項１に記載の段差対応キャスター。
(57)【要約】【課題】箱型物品収納具の基本的構成部材以外の部材を不用とし、製造コストを低減させることを可能とする。【解決手段】天板または棚板の下面に設けたダボ穴にダボを挿嵌し、仕切板５の上面小口に長手方向の溝７を設けるとともに、この溝７から仕切板５側面に開口する切欠部６を設け、仕切板５を操作してダボの突出部分を切欠部６より挿入して溝７内まで進入させ、さらに仕切板５を背板方向へ押込むことによって天板または棚板に対して仕切板５を左右方向に係止可能とする。さらに背板にダボ穴を設けるとともに仕切板５の背面にダボ穴１０を設け、そのいずれかにダボを挿嵌し、仕切板５を背板方向へ押込む操作により背板と仕切板５がダボを介して係止可能とする。なお本考案は上方向に開口する物品収納箱の仕切板にも適用可能である。【選択図】図２
0003220187.tif 000002
【実用新案登録請求の範囲】
【請求項１】
箱型物品収納具の移動可能な仕切板であって、箱型物品収納具の第１板または第１板と平行して配置される第２板にダボ穴を設けてダボを挿嵌し、仕切板の第１板または第２板との当接面に長手方向の溝を設けるとともに、該溝から該仕切板側面に開口する切欠部を設け、該仕切板を操作して前記ダボの突出部分を該切欠部より挿入し、前記溝内まで進入させ、さらに前記仕切板を開口面と反対の方向へ押込むことにより、第１板または第２板に対して係止可能としたことを特徴とする仕切板。
【請求項２】
開口面と平行に配置される第３板および仕切板の該第３板との当接面にダボ穴を設け、そのいずれかにダボを挿嵌し、前記仕切板を開口面と反対の方向へ押込むことによって前記第３板と該仕切板が該ダボを介して係止可能としたことを特徴とする請求項１記載の仕切板。
【考案の詳細な説明】
【技術分野】
【０００１】
本考案は、箱型物品収納具の着脱および移動可能な仕切板に関するものである。
【背景技術】
【０００２】
箱型物品収納具である物品収納棚または物品収納箱の製造に際して、仕切板を移動可能とするため、箱型物品収納具の基本的構成部材である天板、棚板、底板、側板、背板、ダボ等接合具以外の部材を付加していた。
【先行技術文献】
【特許文献】
【０００３】
【特許文献１】実登３２０６３３２号  公報
【考案の概要】
【考案が解決しようとする課題】
【０００４】
移動可能な仕切板を有する箱型物品収納具の製造に際し、特殊な形状の仕切板や背板、仕切板を滑動、係止するためのレール、止具等、箱型物品収納具の基本的構成部材以外の部材を用いると経済的負担となる。従って、前記基本的構成部材への技術的に平易な加工のみによって前記課題を解決しようとするものである。
【課題を解決するための手段】
【０００５】
箱型物品収納具の移動可能な仕切板であって、箱型物品収納具の第１板または第１板と平行して配置される第２板にダボ穴を設けてダボを挿嵌し、仕切板の第１板または第２板との当接面に長手方向の溝を設けるとともに、該溝から該仕切板側面に開口する切欠部を設け、該仕切板を操作して前記ダボの突出部分を該切欠部より挿入し、前記溝内まで進入させ、さらに前記仕切板を開口面と反対の方向へ押込むことにより、第１板または第２板に対して係止可能としたことを特徴とする仕切板。
【０００６】
開口面と平行に配置される第３板および仕切板の該第３板との当接面にダボ穴を設け、そのいずれかにダボを挿嵌し、前記仕切板を開口面と反対の方向へ押込むことによって前記第３板と該仕切板が該ダボを介して係止可能としたことを特徴とする上記仕切板。
【考案の効果】
【０００７】
本考案によれば、箱型物品収納具の基本的構成部材以外の部材が不要なため、製造コストを低減させることが可能であり、また高さおよび奥行き寸法が長い仕切板にも適用可能である。さらに本考案の仕切板は、工具等を用いない簡易な操作によって着脱および移動が可能である。
【図面の簡単な説明】
【０００８】
【図１】本考案に係る箱型物品収納具の一実施の形態を示した斜視図である。
【図２】仕切板の斜視図である。
【図３】ダボ嵌合状態の仕切板の上面図、背面図、側面図である。
【考案を実施するための形態】
【０００９】
仕切板５は、天板１または棚板２の下面にダボ穴３を設けてダボ４を挿嵌し、該天板１または棚板２に支持される仕切板５の上面小口に長手方向の溝７を設けるとともに、該溝７から該仕切板側面に開口する切欠部６を設け、該仕切板５を操作して前記ダボ４の突出部分を前記切欠部６より挿入し、前記溝７内まで進入させ、さらに該仕切板５を背板８方向へ押込むことによって天板１または棚板２に対して仕切板５を左右方向に係止可能とした。
【００１０】
仕切板５は、背板８および仕切板５の背面小口にダボ穴９および１０を設け、そのいずれかにダボ１１を挿嵌し、前記仕切板５を背板８方向へ押込むことによって背板８と仕切板５が該ダボ１１を介して係止可能とした。
【００１１】
また天板１または棚板２の下面と仕切板５のダボによる係止部を１箇所以上、背板８と仕切板５のダボによる係止部を１箇所以上とし、且つこれらの係止部を合計３箇所以上となるように設けることにより仕切板５を傾斜させず、左右方向に係止可能とし、さらにダボ穴を天板１または棚板２の下面と背板８に水平方向に複数設けることにより仕切板５を左右に移動可能とした。
【００１２】
なお、本実施形態は物品収納棚の例であるため、第１板を天板１として、第２板を棚板２として、第３板を背板８として説明したが、箱型物品収納具の向きは図１に示す例に限らず、上方向に開口する物品収納箱としてもよく、その場合は第１板および第２板は側板または側板と平行する仕切り用の板となり、第３板は底板となる。
【符号の説明】
【００１３】
１  天板（第１板）
２  棚板（第２板）
３  天板または棚板下面のダボ穴
４  天板または棚板下面のダボ穴に挿嵌したダボ
５  仕切板
６  仕切板側面に開口する切欠部
７  仕切板上面の溝
８  背板（第３板）
９  背板のダボ穴
１０  仕切板背面のダボ穴
１１  背板と仕切板を係止させるダボ
２０  箱型物品収納具(物品収納棚または物品収納箱)
【図１】
0003220187.tif 000003
【図２】
0003220187.tif 000004
【図３】
0003220187.tif 000005
(57)【要約】      （修正有）【課題】屋根上の融雪水を氷結させることなく確実に排水することができる無落雪屋根における排水構造を提供する。【解決手段】無落雪屋根の傾斜下端に沿って設けた横樋２と、横樋の樋内に付設した筒状金網のストレーナーと、横樋の一端に連結したドレン４と、ドレンに連結した排水縦樋５と、排水縦樋の下端に連結した排水桝６とから成り、さらには排水桝を埋設して地熱を吸収し、排水縦樋内及びドレンとドレン開口部付近の空気を常時暖め氷結を防ぐとともに、積雪時には横樋に溜まる雪１１の融解を促し、融雪水を確実に排水縦樋に導き、排水桝を通じて外部へ排水する構造とした。【選択図】図１
0003220190.tif 000002
【実用新案登録請求の範囲】
【請求項１】
無落雪屋根の傾斜下端に沿って設けた横樋と、該横樋の樋内に付設した筒状金網のストレーナーと、該横樋の一端に連結したドレンと、該ドレンに連結した排水縦樋と、該排水縦樋下端に連結した排水桝とから成り、さらには該排水桝を埋設して地熱を吸収し該排水縦樋内及び該ドレンと該ドレン開口部付近の空気を常時暖め氷結を防ぐとともに、積雪時には該横樋に溜まる雪の融解を促し融雪水を確実に該排水縦樋に導き該排水桝を通じて外部へ排水する構造とした無落雪屋根の排水構造。
【考案の詳細な説明】
【技術分野】
【０００１】  本考案は、無落雪屋根における排水装置に関し、屋根上の融雪水を氷結させることなく確実に排水することができるようにする無落雪屋根排水装置の構造に関するものである。
【背景技術】
【０００２】  従来より、無落雪形の屋根を有する建物に於いては、該屋根の左右の傾斜面から徐々に中央樋部に向かって集まる雪を自然融解させ、排水樋に融雪水を導き排水する構造が一般に提案されている。
【先行技術文献】
【特許文献】
【０００３】
【特許文献１】実用新案登録第３１５５６４１号公報
【考案の概要】
【考案が解決しようとする課題】
【０００４】  しかしながら、従来方法では、屋根上に設けた排水部に異物が詰まる等、良好な排水に支障をきたす問題点を有していた。【０００５】  本考案は、上記従来有する問題点に鑑み、無落雪屋根における排水装置に関し、屋根上の融雪水を氷結させることなく確実に排水しようとするものである。
【課題を解決するための手段】
【０００６】  本考案に於いては、無落雪屋根の傾斜下端に沿って設けた横樋２と、該横樋２の樋内に付設した筒状金網のストレーナー３と、該横樋２の一端に連結したドレン４と、該ドレン４に連結した排水縦樋５と、該排水縦樋５下端に連結した排水桝６とから成り、さらには該排水桝６を埋設して地熱を吸収し該排水縦樋５内及び該ドレン４と該ドレン４開口部付近の空気を常時暖め氷結を防ぐとともに、積雪時には該横樋２に溜まる雪の融解を促し融雪水を確実に該排水縦樋５に導き該排水桝６を通じて外部へ排水する構造とした。
【考案の効果】
【０００７】  本考案によれば、地熱を利用することで経済的かつ安全に無落雪屋根における該横樋内や該ドレン内あるいは該排水縦樋内の氷結を防ぎ、該横樋に溜まる積雪の融解を促し融雪水を確実に排水縦樋に導き排水することができる。【０００８】  また、排水桝の排水口から外部貯水槽に連結させてもよく、雨水や融雪水を該外部貯水槽に蓄えることで生活水などの一部として利用できる効果も期待できる。【０００９】  また、該横樋の樋内に筒状金網のストレーナーを付設したことで、ドレン開口部へのゴミなど異物の進入を防ぎ、冬期以外に於いてもドレンの詰まりを防ぐ効果が期待できる。
【図面の簡単な説明】
【００１０】
【図１】  本考案に於ける無落雪屋根の排水構造の実施例を示した概略図である。
【図２】  本考案に於ける無落雪屋根の排水構造の横樋とストレーナーとドレンとの配置を平面で示した説明図である。
【考案を実施するための最良の形態】
【００１１】  以下、本考案の実施の形態について、図面を参照して説明する。
図１・図２に示すように、本考案に於いては、無落雪屋根の傾斜下端に沿って設けた横樋２と、該横樋２の樋内に付設した筒状金網のストレーナー３と、該横樋２の一端に連結したドレン４と、該ドレン４に連結した排水縦樋５と、該排水縦樋５下端に連結した排水桝６とから成り、さらには該排水桝６を埋設して地熱を吸収し該排水縦樋５内及び該ドレン４と該ドレン４開口部付近の空気を常時暖め氷結を防ぐとともに、積雪時には該横樋２に溜まる雪の融解を促し融雪水を確実に該排水縦樋５に導き該排水桝６を通じて外部へ排水する構造とした。
【符号の説明】
【００１２】  １    屋根
２    横樋
３    ストレーナー
４    ドレン
５    排水縦樋
６    排水桝
７    外部排水管
８    外部貯水槽
９    外部排水溝
１０    地面
１１    雪
【図１】
0003220190.tif 000003
【図２】
0003220190.tif 000004
(57)【要約】【課題】近年、流行している暗闇で行われるエクササイズにおいて、エクササイズに視覚的効果や変化を加えるボクシンググローブを提供する。【解決手段】ボクシンググローブに蓄光材や蛍光材といった発光素材を塗布したり印刷することで、発光効果を生じさせ、視覚的効果を上げ、それに伴って練習意欲を高めたりエクササイズに変化や興趣性が生じる様にした。【選択図】図１
0003220140.tif 000002
【実用新案登録請求の範囲】
【請求項１】
蓄光材や蛍光材、夜光材といった発光素材を塗布または印刷したボクシンググローブ。
【考案の詳細な説明】
【技術分野】
【０００１】
本考案は暗闇で発光するボクシンググローブに関する。
【背景技術】
【０００２】
近年では室内を暗くして暗闇で身体を動かすというエクササイズが流行している。
【０００３】
前述のような暗闇でのエクササイズでは参加者の気分を上げる為に音楽を流したり、カラフルな照明器具で室内を彩るというような工夫がなされている。
【考案の概要】
【考案が解決しようとする課題】
【０００４】
しかしながら、参加者が使う練習着や練習道具に関しては暗闇でのエクササイズに向けた物は発明ないし販売されていない。
【０００５】
本考案は発光させる事で視覚的効果を有し、暗闇において、興趣性に富んだトレーニングに特化したボクシンググローブを提供することを目的とする。
【課題を解決するための手段】
【０００６】
前記目的を達成するために、本考案に係るボクシンググローブの一部又は全体に蓄光材や蛍光材、夜光材といった発光素材を塗布している。
【０００７】
発光素材は塗布だけでなく、グローブにロゴやイラスト印刷の際に用いる事もある。
【考案の効果】
【０００８】
本考案のボクシンググローブは蓄光材や蛍光材や夜光材といった発光素材が用いられており、暗い場所で発光する。
【０００９】
その為、暗闇でのエクササイズ時に使用すると発光したグローブが暗闇に映え、視覚的効果が得られるようになる。
【００１０】
エクササイズ中に音楽をかけ、その音楽に合わせたトレーニングを行ったりすることで、前述の視覚的効果も加わり、エクササイズ時の意欲に繋がる。
【００１１】
また、蓄光材を使用する場合は、事前に蓄光量を調節し、設定した時間に発光が終わるようにしておけば、トレーニング継続の目安にも成り得る。
【００１２】
蛍光剤は紫外線を用いたブラックライトで照らすことで光を発する為、ブラックライトの照明を活用すれば、より顕著な視覚的効果を得ることができる。
【００１３】
本考案のボクシンググローブは暗闇でのエクササイズに特化しているが、室内を暗くしたり、ブラックライトを照射しない限りは発光する事の無い一般的なグローブとしての使用ができる。暗い室内でのエクササイズだけでなく、ボクシングジム等での一般的な競技としてのボクシングの練習にも利用することができる。
【００１４】
以上より、暗闇でのエクササイズを行う時に視覚的効果を生じさせ、エクササイズに変化や興趣をもたらすボクシンググローブの提供を可能にした。
【図面の簡単な説明】
【００１５】
【図１】本考案の全体図を示す図である。
【考案を実施するための形態】
【００１６】
ボクシンググローブに蓄光材や蛍光材、夜光材といった発光材を塗布した本考案のボクシンググローブを装着し、暗闇でエクササイズをする。蛍光剤を塗布する際にはブラックライトを発する照明も適宜組み合わせて使用する。
【図１】
0003220140.tif 000003
(57)【要約】      （修正有）【課題】積雪、強風などの外圧による変形を防止でき、消費者自身により組立とメンテナンスが可能な強度ある軽量鉄骨ハウスの併設鋼管構造体を提供する。【解決手段】柱材と梁材の必要な範囲で内外二重の骨材で形成構成されるハウスで、現地での組み立てと分解が可能となる軽量化と作業性を考慮した構造体であって、Ｈ形鋼並みの必要強度を確保させるために、垂直な外側直管鋼管ａと傾設の内側直管鋼管ｂの間に一体の連結材ｅが締結材ｆで接合構成された柱構造と、屋根の外形を決める斜設の外側直管鋼管ｃと内側に略併設の直管鋼管ｄをおなじ連結材で締結接合構成された梁構造と、を有する。【選択図】図３
0003220192.tif 000002
【実用新案登録請求の範囲】
【請求項１】
軽量鉄骨ハウスで併設鋼管の構造を有する梁組において、併設の鋼管材（ａとｂ，ｃとｄ）の間に一体の連結板材と、その連結材をはさみ固定する形状と鋼管をツカミまたは、抱き込んで締結する形状を有する金物により、併設した鋼管が１つの構造体になるよう形成することを特徴とした併設鋼管構造体。
【考案の詳細な説明】
【技術分野】
【０００１】    本考案は、軽量鉄骨ハウスの強度補強に必要な併設鋼管部における連結材に木材の合板などを用いて、加重時の変形をＨ型鋼並みに抑制できる併設鋼管構造体です。
【背景技術】
【０００２】    従来から、パイプハウスの補強方法としては、内外併設の鋼管で簡易的な連結材をもって強度を上げる方法や、又  トラス構造にみられる斜材溶接で事前に組み立てられたものを現場で組み立てる方法があります。前述については、その完成強度は、一定の加重に対して、鉄骨強度に及ばず、また、後述については、堅牢ではあるが、溶接技術や現場組み立てなどでの多数の技術者が必要である。
【先行技術文献】
【特許文献】
【０００３】［出願番号］  特願２０１８−５７１３７
【考案の概要】
【０００４】  図３は、併設鋼管構造体の構成部材である連結材を、併設鋼管の間の連結材として一体の板状面材を用い、鋼管と一体となるように複数の結合金物で締結した構造体。
【考案の効果】
【０００５】  上述のように、本考案の連結部材は、ウエブとフランジで構成するＨ型鋼でいうところのウエブの役割を担い一体でＨ型鋼並みの変形の防止をするものである。また、これらの構造体は、それぞれが軽くて一般消費者自身が簡単な工具で現地組立分解ができる。また同時に、メンテナンスも消費者自身ができるため、建て方、維持費合わせて、安価な構造体となる。
【図面の簡単な説明】
【０００６】
【図１】は本考案で一般な組み立て例の全体図である。
【図２】は、本考案の連結部材の形状例の斜視図である。
【図３】は、併設鋼管構造体の拡大図でａ，ｂ，ｃ，ｄは鋼管、ｅは連結材、ｆは結合金物
【図４】は、先行出願の形状例です。
【図１】
0003220192.tif 000003
【図２】
0003220192.tif 000004
【図３】
0003220192.tif 000005
【図４】
0003220192.tif 000006
(57)【要約】      （修正有）【課題】組み立てを簡単に出来るようにするブロック、レンガを提供する。【解決手段】ブロック、レンガ１の一面に円柱や四角柱の突起物２を設け突起物２が有る反対面には突起物２が入り込める穴３を設け、穴３に別のブロック、レンガ１の突起物２を押し入れて繰り返し行うことによりブロック、レンガ１を組み立てられるようにした。【選択図】図１
0003220170.tif 000002
【実用新案登録請求の範囲】
【請求項１】
塀や壁・間仕切りや土台等に、また  多用途の装飾などに使われるブロック・レンガ（１）等において、突起物（２）を備え突起物（２）が入り込める穴（３）を設けたブロック・レンガ（１）。
【考案の詳細な説明】
【技術分野】
【０００１】  本考案は  ブロックやレンガの一面に一体する円柱や四角柱の突起物を設け突起物の有る反対面には突起物が前後左右どの方向からでも入り込める穴を設け、その穴に別のブロックやレンガの突起物を押し入れて組み立てようとするもので有る。【０００２】  本考案は  塀や壁・間仕切りや土台等に、また  多用途で装飾などに使われているブロックやレンガの組み立てを簡単に出来るようにしようとするもので有る。【０００３】従来  ブロックやレンガを組み立てようとする時、装飾等に使用される物以外は  主にセメントをブロックとブロックの間に・レンガとレンガの間に置いてセメントを乾かし固めることで組み立てていた。【０００４】  上記の作業はセメントを多く使用しなければならないし、セメントが乾き固まるまでには時間がかかるし、組み立てるには技術を要した。
【考案の概要】
【考案が解決しようとする課題】
【０００５】  上記に有るように多くのセメントを使用することも無く難しい技術が無くてもブロックやレンガを組み立てることが出来て、工期も短縮出来るようにした。
【課題を解決するための手段】
【０００６】  ブロックやレンガの一面に幾つかの突起物を設け、突起物の有る反対面には別のブロックやレンガの突起物が前後左右どの方向からでも入り込める穴を設ける。【０００７】  本考案のブロックやレンガを弐分割した時二つが同形の物と成るようにする。
【考案の効果】
【０００８】  本考案のブロックやレンガ等を組み立てようとするときは穴の中に別のブロックやレンガの突起物を押し入れて、繰り返し行うことにより組み立てることが出来る。
【図面の簡単な説明】
【０００９】
【図１】本考案のブロック・レンガで突起物が二個の斜視図
【図２】本考案のブロック・レンガで突起物が一個の斜視図
【図３】本考案のブロック・レンガで突起物が二個の一部断面図
【図４】本考案のブロック・レンガで突起物が二個の組み立て斜視図
【考案を実施するための形態】
【００１０】ブロック・レンガ（１）の一面に円柱や四角柱の突起物（２）を設け、突起物（２）が有る反対面には突起物（２）が入れられる穴（３）を設ける。
【００１１】穴（３）と（３）を仕切る壁（４）の壁厚はその他の壁厚（５）の２倍に厚くして壁（４）の中心から弐分割した時、二つが同形の物と成るようにする。
【００１２】突起物（２）を穴（３）に入れた時  突起物（２）は穴（３）の底面（６）に突き当らないほうが良い。
【実施例】
【００１３】本考案のブロック・レンガ（１）を組み立てようとする時は穴（３）に別のブロック・レンガ（１）の突起物（２）を入れて  繰り返し行うことで組み立てられる。
【産業上の利用可能性】
【００１４】ブロックやレンガを組み立てようとするとき  ブロックやレンガに設けた突起物を別のブロックやレンガに有る穴に繰り返し入れていくだけで技術を要することも無く簡単に組み立てられるし、工期も短縮できる。
【符号の説明】
【００１５】１  ブロックやレンガ
２  突起物
３  穴
４  穴と穴を仕切る壁
５  その他の壁
６  底面
【図１】
0003220170.tif 000003
【図２】
0003220170.tif 000004
【図３】
0003220170.tif 000005
【図４】
0003220170.tif 000006
【手続補正書】
【提出日】平成30年11月27日(2018.11.27)
【手続補正１】
【補正対象書類名】実用新案登録請求の範囲
【補正対象項目名】全文
【補正方法】変更
【補正の内容】
【実用新案登録請求の範囲】
【請求項１】
ブロック、レンガ（１）の一面に突起物（２）を設け、突起物（２）が有る反対面には突起物（２）が入り込める穴（３）を設け、穴（３）に別のブロック、レンガ（１）の突起物（２）を押し入れて繰り返し行うことによりブロック、レンガ（１）を組み立てられるようにしたことを特徴とするブロック、レンガ。
【請求項２】
前記突起物（２）が円柱や四角柱であることを特徴とする請求項１に記載のブロック、レンガ。
(57)【要約】      （修正有）【課題】使用者に発光画と音楽による立体的な楽しさを感じさせることができる発光画枠を提供する。【解決手段】画枠１００と、底板６００と、画枠内に配置される絵板３００とを備え、絵板と底板との間に導光板５００が設けられ、導光板の側壁に発光素子４００が設けられ、発光素子が電源７００に電気的に接続される。発光素子は、複数のＬＥＤランプを組み合わせたものである。絵板には、防水耐磨耗層２００が設けられる。また、発光画枠には、電源に電気的に接続するブルートゥース付きスピーカーが設けられ、携帯電話や他の外部スマートデバイスを接続することにより、音楽を流すことができる。【選択図】図２
0003220117.tif 000002
【実用新案登録請求の範囲】
【請求項１】
画枠と、底板と、画枠内に配置される絵板と、を備え、
前記絵板と前記底板との間に導光板が設けられ、
前記導光板の側壁に発光素子が設けられ、前記発光素子が電源に電気的に接続されることを特徴とする発光画枠。
【請求項２】
前記発光素子は、複数のLEDランプを組み合わせたテープライトであることを特徴とする請求項1に記載の発光画枠。
【請求項３】
前記絵板には、防水耐磨耗層が設けられることを特徴とする請求項1又は2に記載の発光画枠。
【請求項４】
前記電源に電気的に接続するブルートゥース付きスピーカーが設けられることを特徴とする請求項1〜３のいずれか１項に記載の発光画枠。
【考案の詳細な説明】
【技術分野】
【０００１】
本考案は、ブルートゥース（登録商標）機能付き発光画枠に関する。
【０００２】
従来から油絵は、家の飾りとして一般家庭でもよく掛けられている。しかし、発光画枠は、単一の機能しか有しないため、絵をより綺麗に見せるための発光機能や、音楽放送機能付きの発光画枠が求められている。
従来の発光画枠では、発光ダイオードやカラーランプが付けられ、生産の際に、手間がかかっている。
【考案の概要】
【０００３】
本考案は、簡単な工程で生産できる発光画枠を提供することを目的とする。
本考案に関わる発光画枠は、画枠と、底板と、画枠内に配置される絵板とを備え、上記絵板と上記底板との間に導光板が設けられ、上記導光板の側壁に発光素子が設けられ、上記発光素子が電源に電気的に接続されている。
【０００４】
更に、上記発光素子は、複数のLEDランプを組み合わせたテープライトである
更に、上記絵板には、防水耐磨耗層が設けられている。
更に、上記発光画枠には、上記電源に電気的に接続するブルートゥース付きスピーカーが設けられている。
上記発光画枠において、上記防水耐磨耗層は、透明ガラスからなる。
【０００５】
本考案は、導光板を採用するため、画枠の周囲に発光素子を設ける必要がなく、枠の一部の一辺に1つの発光素子を設けるだけでよく、従来技術に比べて、材料を省いて、均一発光を実現でき、生産効率も上がる。また、携帯電話や他の外部スマートデバイスをブルートゥース付きスピーカーに接続することにより、音楽を流し、使用者に発光画と音楽による立体的な楽しさを感じさせることができる。
【図面の簡単な説明】
【０００６】
【図１】本考案の一実施形態による発光画枠を示す斜視図である。
【図２】本考案の一実施形態による発光画枠の構造を示す概略構成図である。
【図３】図2に示されるAにおける断面図である。
【考案を実施するための形態】
【０００７】
以下、図面及び実施例を参考しながら、本考案の実施形態を詳しく説明する。
図1から図3に示す発光画枠は、画枠100と、底板600と、画枠100内に配置される絵板300と、を備え、絵板300と底板600との間に導光板500が設けられ、導光板500の側壁に発光素子400が設けられている。
【０００８】
発光素子400は、電源700に電気的に接続されている。本考案の一実施形態では、上記発光素子400は、複数のLEDランプ401が組み合わされたテープライトであり、導光板500は、均一に導光することができる。導光板500を設けることにより、枠の周囲に発光素子を設ける必要がなく、1つの発光素子400を枠の一部の一辺に設けるだけで、絵板300を均一に発光させることができる。
【０００９】
発光素子400の材料を省くことにより、生産工程もある程度省略できる。なお、絵板300には、透明ガラスからなる防水耐磨耗層200が設けられ、電源700は、電池であり、電源700は、外部電源に直接接続されていてもよい。発光素子400の状態は、電源700によって制御される。電源700を設けることにより、室内のみならず屋外でも使用することができ、使用範囲が広げられる。また、上記発光画枠には、上記電源700と電気的に接続されたブルートゥース付きスピーカー800が設けられている。上記ブルートゥース付きスピーカー800を介して携帯電話または他の外部スマートデバイスを接続することにより、音楽を流し、使用者に発光画と音楽による立体的な楽しさを感じさせることができる。
【００１０】
以上は本実用新案の好適な実施形態であり、当業者には、本実用新案の技術思想を逸脱することなく、複数の改良や変形が可能であり、これらの改良や変形も本実用新案の技術的範囲に包含されるものである。
【符号の説明】
【００１１】
画枠      100、
防水耐磨耗層      200、
絵板      300、
発光素子      400、
LEDランプ      401、
導光板      500、
底板      600、
電源      700、
ブルートゥース付きスピーカー      800
【図１】
0003220117.tif 000003
【図２】
0003220117.tif 000004
【図３】
0003220117.tif 000005
(57)【要約】      （修正有）【課題】ＢＢクリーム、水なしパウダーファンデーション、化粧水、アイクリーム、メイク前ミルク、ベースクリーム、エッセンスローション、クリーム、乳液などのメイクアップに使用され、パフが化粧品を吸い込まなく、弾力性が非常に良く、使い心地が良く、異臭がなく、仕上がりが均一であり、パフの表面に残った化粧品はウェットティッシュまたは清水で洗浄されてから引き続き使用できる浸透防止乾湿多機能パフを提供する。【解決手段】浸透防止乾湿多機能パフはクローズドセル発泡体からなるパフ本体を含み、パフ本体の表面に液体透過性を低減できる分布の均一で密度の高い気孔１が形成されており、パフ本体材料は各セルの間で液体を吸い込まなく、液体を浸透させない非常に緊密なシームレス構造が形成されている。【選択図】図１
0003220341.tif 000002
【実用新案登録請求の範囲】
【請求項１】
クローズドセル発泡体からなるパフ本体を含み、前記パフ本体の表面に、分布が均一で高密度の気孔が形成されていることを特徴とする浸透防止乾湿多機能パフ。
【請求項２】
前記パフ本体の気孔の間は、液体を吸い込まず、液体を浸透させないシームレスな構造が形成されていることを特徴とする請求項1記載の浸透防止乾湿多機能パフ。
【請求項３】
前記パフ本体の材料はスチレンブタジエンゴムであることを特徴とする請求項2記載の浸透防止乾湿多機能パフ。
【考案の詳細な説明】
【技術分野】
【０００１】
本考案はパフ分野に関し、特に、浸透防止乾湿多機能パフに及んでいる。
【背景技術】
【０００２】
従来のパフは、BBクリームと、水なしパウダーファンデーションだけに使われている。BBクリームは日焼け止め、下地、ファンデーションの役割を果たすクリームである。BBとはBlemish Balm（ブレミッシュ バルム）の略で、傷や欠点を隠す香油とも呼ばれているように、肌をしっかりカバーしてくれる特徴がある。パフは大量にBBクリームまたは水なしパウダーファンデーションを吸い込むため、化粧水、アイクリーム、メイク前ミルク、ベースクリーム、エッセンスローション、クリーム、乳液などの化粧品を塗る時に元のパフを使うことができない。パフは大量に化粧品を吸い込んで、汚くなり、使えなくなる。
【考案の概要】
【考案が解決しようとする課題】
【０００３】
本考案実施例は従来の技術問題点解決するため、化粧品を吸い込まなく、弾力性が非常に良く、使い心地が良く、異臭がなく、仕上がりが均一であり、表面に残った化粧品がウェットティッシュまたは清水で洗浄されてから引き続き使用できる浸透防止乾湿多機能パフを提供する。
【課題を解決するための手段】
【０００４】
前記浸透防止乾湿多機能パフは、クローズドセル発泡体からなるパフ本体を含み、前記パフ本体の表面に液体透過性を低減できる分布が均一で密度の高い気孔が形成されている。
【０００５】
好ましくは、前記パフ本体材料は各セルの間で液体を吸い込まなく、液体を浸透させない非常に緊密なシームレス構造が形成されている。
【０００６】
好ましくは、前記パフ本体材料は、スチレンブタジエンゴムである。
【０００７】
代替的に、前記パフ本体は90％の主要材料であるスチレンブタジエンゴム（SBR）と10％の補助材料で攪拌されてから、クローズドセル発泡を経て、ある程度まで発泡させると、体積が変化せず、完全に固体化された成形発泡体となり、乾燥軌道によって加熱すると同時に空気抽出を行って、においを除去し、さらに、冷却機能によって低温空気抽出を行ってにおいを除去し、それから、研磨機によって研磨して成形されたものである。
【考案の効果】
【０００８】
本考案の実施例を実施することによって、下記の有益な効果がある。
【０００９】
本考案の実施例は浸透防止乾湿多機能パフであり、従来技術の問題を解決し、BBクリーム、水なしパウダーファンデーション、化粧水、アイクリーム、メイク前ミルク、ベースクリーム、エッセンスローション、クリーム、乳液などのメイクアップに使用され、パフが化粧品を吸い込まなく、弾力性が非常に良く、使い心地が良く、異臭がなく、仕上がりが均一であり、パフの表面に残った化粧品はウェットティッシュまたは清水で洗浄されてから引き続き使用できる。
【図面の簡単な説明】
【００１０】
【図１】本考案実施例の浸透防止乾湿多機能パフの表面を示す斜視図である。
【図２】本考案実施例の浸透防止乾湿多機能パフの内部構造図である。
【考案を実施するための形態】
【００１１】
本考案の目的、技術ソリューションとメリットをより明らかにさせるため、以下、図面を参照して、本考案について、さらに詳しく説明する。
【００１２】
本考案実施例の浸透防止乾湿多機能パフはクローズドセル発泡体からなるパフ本体を含み、パフ本体の表面に、液体透過性を低減できる、分布が均一で、内部の気孔2の密度よりも密度の高い気孔1が形成されており、パフ本体材料は各セルの間で液体を吸い込まなく、液体を浸透させない非常に緊密なシームレス構造が形成されている。
【００１３】
パフ本体材料はスチレンブタジエンゴムであり、前記パフ本体は90％の主要材料であるスチレンブタジエンゴム（SBR）と10％の補助材料で攪拌されてから、クローズドセル発泡を経て、ある程度まで発泡させてから体積が変化せず、完全に固体化された成形発泡体となり、乾燥軌道によって加熱すると同時に空気抽出を行ってにおいを除去し、さらに、冷却機能によって低温空気抽出を行って、においを除去し、それから、研磨機によって研磨して成形されたものである。
【００１４】
新型材料とプロセスのアップグレードは図2と図1に示された通りである。気孔1の分布が均一で、密度が大きい特徴を保っている。これと同時に、孔壁（図に「1」を付けている場所）に液体透過性を低減させ、水ありパウダーファンデーションの流失量を大いに減少でき、同時に表面にある大密度の気孔1が効果的に、水なしパウダーファンデーションをつかむことができる。仕上がりがより均一であり、新型材料の分子がより小さいため、単位面積当たりの密度がより大きくなる。強いブロッキング効果（防水）を有している。
【００１５】
本考案の実施例は浸透防止乾湿多機能パフであり、従来技術の問題を解決し、BBクリーム、水なしパウダーファンデーション、化粧水、アイクリーム、メイク前ミルク、ベースクリーム、エッセンスローション、クリーム、乳液などのメイクアップに使用され、パフが化粧品を吸い込まなく、弾力性が非常に良く、使い心地が良く、異臭がなく、仕上がりが均一であり、パフの表面に残った化粧品はウェットティッシュまたは清水で洗浄されてから引き続き使用できる。
【００１６】
上記に掲載されたのは、本考案の比較的に好ましい実施例だけであり、これにより本考案の実用新案登録請求の範囲が限定されない。この故に本考案の実用新案登録請求の範囲に基づいて行われた類似した変化は本考案の範囲に含まれる。
【図１】
0003220341.tif 000003
【図２】
0003220341.tif 000004